【手続補正書】
【提出日】平成21年7月29日(2009.7.29)
【手続補正１】
【補正対象書類名】特許請求の範囲
【補正対象項目名】全文
【補正方法】変更
【補正の内容】
【特許請求の範囲】
【請求項１】
（ａ）試料容器；
（ｂ）少なくとも３つのレーザーダイオードを含んで成り、そして複数の異なる離散波長の光を含む励起光を、試料容器に提供するように設定された光源；及び
（ｃ）試料容器から放射された光を受け、成分波長へと空間的に分離するように設定された発光検出器：
を含んで成る、試料中の誘導された発光の検出のための装置。
【請求項２】
前記光源が、シングルビームマルチラインレーザーを含む、請求項１に記載の装置。
【請求項３】
前記光源が、約４７０ｎｍの波長を有する光を発生する第一のレーザーダイオードと、約５３０ｎｍの波長を有する光を発生する第二のレーザーダイオードと、約６３０ｎｍの波長を有する光を発生する第三のレーザーダイオードとを含んで成る、請求項１に記載の装置。
【請求項４】
前記光源が、前記試料容器に前記励起光を送るのに効果的な第一の光ファイバーケーブルを含み、そして前記検出器が、前記試料容器から放射された光を受けるのに効果的な第二の光ファイバーケーブルを含む、請求項１に記載の装置。
【請求項５】
複数の試料容器をさらに含んで成る、請求項４に記載の装置。
【請求項６】
前記試料容器が、自動円形トレイの上に置かれている、請求項５に記載の装置。
【請求項７】
前記第一の光ファイバーケーブル及び第二の光ファイバーケーブルの端部が、単一の試料インターフェースを形成するように一緒に束ねられている、請求項４に記載の装置。
【請求項８】
（ａ）試料容器；
（ｂ）受けた光を成分波長へと空間的に分離するように設定された発光検出器；
（ｃ）複数の異なる離散波長を有する励起光を発生するように設定された励起源；
（ｄ）第一の入力端と第一の出力端とを有する第一の光ファイバーケーブル、ここで、第一の入力端が、前記励起源からの前記励起光を受けるように置かれている；
（ｅ）第二の入力端と第二の出力端とを有する第二の光ファイバーケーブル、ここで、第二の出力端が、前記試料容器から放射された光を前記発光検出器に提供するように置かれている；
（ｆ）第一の出力端及び第二の入力端を、前記試料容器に隣接して一緒に保持するように設定されているケーブルインターフェース、ここで、第一の出力端が、前記試料容器に前記励起光を提供し、そして第二の入力端が、前記試料容器から放射された光を受ける；及び
（ｇ）前記試料容器から放射された光から散乱励起光を除去するための光フィルター：
を含んで成る、試料中の誘導された発光の検出のためのシステム。
【請求項９】
複数の離散波長を有する励起光を発生させること；
第一の単一光路により前記励起光を試料容器に提供すること；
受けた光を成分波長に空間的に分離するように設定された発光検出器を用いて、前記試料容器から放射された光を受け、そして分析すること：
を含んで成る、試料中の誘導された発光を検出する方法。
【手続補正２】
【補正対象書類名】明細書
【補正対象項目名】００６３
【補正方法】変更
【補正の内容】
【００６３】
本発明は、実施例により、及び特定の実施態様との関連で説明されてきたが、本発明は開示された実施態様に限定されないことが理解されるべきである。反対に、当業者に明らかな様々な変更及び類似の設定をカバーすることが意図されている。例えば、プローブと物質は、連続的又は同時に励起され、連続的又は同時に分析され得る。従って、添付された特許請求の範囲は、全てのこのような変更及び類似の設定を包含するように、最も広く解釈されるべきである。
本発明は以下の態様に関する。
［態様１］
（ａ）試料容器；
（ｂ）複数の異なる離散波長の光を含む励起光を、試料容器に提供するように設定された光源；及び
（ｃ）試料容器から放射された光を受け、成分波長へと空間的に分離するように設定された発光検出器：
を含んで成る、試料中の誘導された発光の検出のための装置。
［態様２］
光源が少なくとも３つのレーザーダイオードを含んで成る、態様１に記載の装置。
「態様３］
光源が、試料容器に励起光を送るのに効果的な光ファイバーケーブルを含む、態様１に記載の装置。
［態様４］
検出器が、試料容器から放射された光を受けるのに効果的な光ファイバーケーブルを含む、態様１に記載の装置。
［態様５］
光源が、シングルビームマルチラインレーザーを含む、態様１に記載の装置。
［態様６］
光源が、約４７０ｎｍの波長を有する光を発生する第一のレーザーダイオードと、約５３０ｎｍの波長を有する光を発生する第二のレーザーダイオードと、約６３０ｎｍの波長を有する光を発生する第三のレーザーダイオードとを含んで成る、態様１に記載の装置。
［態様７］
光源が、約６８５ｎｍの波長を有する光を発生する第四のレーザーダイオード更に含んで成る、態様６に記載の装置。
［態様８］
光源が、約５９０ｎｍの波長を有する光を発生する第五のレーザーダイオードを更に含んで成る、態様７に記載の装置。
［態様９］
光源が試料容器に励起光を送るのに効果的な第一の光ファイバーケーブルを含み、そして検出器が試料容器から放射された光を受けるのに効果的な第二の光ファイバーケーブルを含む、態様１に記載の装置。
［態様１０］
試料容器が、１つの試料反応装置、貫流容器又は貫流反応装置を含む、態様１に記載の装置。
［態様１１］
複数の試料容器をさらに含んで成る、態様９に記載の装置。
［態様１２］
試料容器が、自動円形トレイの上に置かれている、態様１１に記載の装置。
［態様１３］
第一及び第二の光ファイバーケーブルが、Ｘロボットアーム、Ｘ−Ｙロボットアーム又はＸ−Ｙ−Ｚロボットアームの１つと連結している、態様１１に記載の装置。
［態様１４］
発光検出器が分光光度計を含んで成る、態様１に記載の装置。
［態様１５］
発光検出器が、受けた光から散乱励起レーザー光を減少させる又は除去するための１つ以上のシングルラインフィルター及び／又は１つ以上のマルチノッチラインフィルターを含んで成る、態様１に記載の装置。
［態様１６］
試料容器の温度を制御する手段を更に含んで成る、態様１に記載の装置。
［態様１７］
試料容器が、核酸試料、タンパク質試料又は炭水化物試料の１つを含んで成る、態様１に記載の装置。
［態様１８］
第一の光ファイバーケーブル及び第二の光ファイバーケーブルの端部が、単一の試料インターフェースを形成するように一緒に束ねられている、態様９に記載の装置。
［態様１９］
試料インターフェースが、試料容器の上に置かれる、態様１８に記載の装置。
［態様２０］
試料インターフェースが、試料容器の側面の近位に置かれる、態様１８に記載の装置。
［態様２１］
試料容器が試料流路を含み、試料インターフェースが実質的に流路に平行に置かれる、態様１８に記載の装置。
［態様２２］
試料容器が、試料に結合していない蛍光プローブ又はリン光プローブを含んで成る、態様１に記載の装置。
［態様２３］
試料容器が、試料に結合した蛍光プローブ又はリン光プローブを含んで成る、態様１に記載の装置。
［態様２４］
試料容器が、蛍光物質又はリン光物質を含んで成る、態様１に記載の装置。
［態様２５］
試料容器が、複数の蛍光プローブ及び／又はリン光プローブを含んで成る、態様１に記載の装置。
［態様２６］
複数のプローブのそれぞれが、異なる放射波長を有する、態様２５に記載の方法。
［態様２７］
試料容器が、複数の蛍光物質及び／又はリン光物質を含んで成る、態様１に記載の装置。
［態様２８］
（ａ）試料容器；
（ｂ）受けた光を成分波長へと空間的に分離するように設定された発光検出器；
（ｃ）複数の異なる離散波長を有する励起光を発生するように設定された励起源；
（ｄ）第一の入力端と第一の出力端とを有する第一の光ファイバーケーブル、ここで、第一の入力端が、励起源からの励起光を受けるように置かれている；
（ｅ）第二の入力端と第二の出力端とを有する第二の光ファイバーケーブル、ここで、第二の出力端が、試料容器から放射された光を発光検出器に提供するように置かれている；
（ｆ）第一の出力端及び第二の入力端を、試料容器に近接して一緒に保持するように設定されているケーブルインターフェース、ここで、第一の出力端が試料容器に励起光を提供し、そして第二の入力端が試料容器から放射された光を受ける；及び
（ｇ）試料容器から放射された光から散乱励起光を除去するための光フィルター：
を含んで成る、試料中の誘導された発光の検出のためのシステム。
［態様２９］
複数の離散波長を有する励起光を発生させること；
第一の単一光路により励起光を試料容器に提供すること；
受けた光を成分波長に空間的に分離するように設定された発光検出器を用いて、試料容器から放射された光を受け、そして分析すること：
を含んで成る、試料中の誘導された発光を検出する方法。
［態様３０］
発光検出器が、波長を識別することができない感光検出器を含む、態様１に記載の装置。
［態様３１］
発光検出器が、プリズム又は回折格子の１つを含む、態様１に記載の装置。
［態様３２］
発光検出器が、ＣＣＤ装置、リニアダイオードアレイ、フォトダイオードアレイ又は光電子増倍管アレイを含む、態様１に記載の装置。
［態様３３］
光源が、１つ以上のＬＥＤ素子、及び／又はレーザーダイオード素子を含み、各素子は異なる離散波長の光を発生する、態様１に記載の装置。
［態様３４］
試料容器から放射される光は、蛍光発光、ルミネセンス発光、化学発光及びリン光発光から成る群から選択される誘導された発光を含む、態様１に記載の装置。